(57)【要約】【課題】パック容器裏面に形成する突起にリブを設けることによって、苺の重み、あるいはパック容器に対して衝撃が加わっても、突起の先端が潰れることが無く、しかもショックアブソーバとしての機能を有するトレー容器を提供することを目的とする。【解決手段】青果等のパック容器（１）において、このパック容器（１）は側壁（２）、底（３）および縁（４）から構成されるとともに、前記底（３）の裏面に複数個の突起（５）が配設されるパック容器であって、前記突起（５）には、前記底（３）の裏面から外側に突出する凸面（Ｓ）が形成され、かつ、この凸面（Ｓ）上に複数のリブ（６）が敷設されることを特徴とするパック容器。【選択図】図１
2008024350.tif 000002
【特許請求の範囲】
【請求項１】
青果等のパック容器（１）において、このパック容器（１）は側壁（２）、底（３）および縁（４）から構成されるとともに、
前記底（３）の裏面に複数個の突起（５）が配設されるパック容器であって、
前記突起（５）には、前記底（３）の裏面から外側に突出する凸面（Ｓ）が形成され、
かつ、この凸面（Ｓ）上に複数のリブ（６）が敷設されることを特徴とするパック容器。
【請求項２】
前記突起（５）に形成される凸面（Ｓ）は、球面状であることを特徴とする請求項１記載のパック容器。
【請求項３】
前記突起（５）に形成される凸面（Ｓ）は、楕円球面状であることを特徴とする請求項１記載のパック容器。
【請求項４】
前記突起（５）に形成される凸面（Ｓ）はカマボコ形状であり、前記底（３）の裏面周縁に沿って連続して配設されることを特徴とする請求項１記載のパック容器。
【発明の詳細な説明】
【技術分野】
【０００１】
本発明は、苺や葡萄等の青果物を入れて店頭に並べて販売するためのパック容器に関する。詳しくは、パック容器の底裏面に突起を設けることにより、パック容器の底面をトレーの底から浮かし、青果物が潰されて傷むことを防ぐパック容器に関する。
【背景技術】
【０００２】
従来からパック容器として、ＰＥＴ樹脂等からなる透明のプラスチック製容器が広く普及している。この容器に苺、葡萄等の果物や、カリフラワー、パセリ等の生鮮野菜、その他、惣菜類、食肉等をパックして、内容物が見えるように透明のフイルムでラッピングしてこれを店頭に並べて販売する形態がとられている。図８に青果等を入れる表側から見たパック容器を示す。パック容器１は、側壁２、底３および縁４から構成される。図９はパック容器１の裏底面側から見た斜視図で、底３の裏面側の四隅に先端部が球面状の突起５を設けている。
【０００３】
このようなパック容器の使用態様について説明する。パック容器１の底３の裏面に形成される球面状の突起５によって、パック容器１の底３は、収納トレーの底に接触することなく、浮いた状態を保つことができる。その結果、パック容器１の底３とトレーの底との間に空隙が確保され、青果物が潰されて傷むことが無いという効果を奏するものである。その他、パック容器１の中に入れた苺等青果の重みによって、裏底面に設けた球面状の突起の先端部が潰れ、突起平坦部が四隅に形成される。ここで、突起平坦部は、突起の先端部が程よく潰れて座屈し、局部的には凸凹を有するが、全体的にすわりのよい平坦状を呈する。このことによって、パック容器１の据わりが安定する。また、突起５の先端は、中の苺等青果の重みによって潰れ、あるいはトレーに対して衝撃が加わる過程で潰れて座屈する際に、ショックアブソーバのような作用をするので、苺の損傷を最小限に止める効果がある。即ち、突起５の先端部が球面状を形成するので、苺等青果用として耐衝撃性に優れるパック容器として有用である。
【０００４】
しかしながら以上のような使用態様では、以下のような問題が発生している。即ち、店先で苺を中に入れて陳列している間に中に入れた苺の重みによって球面状の突起５の先端部が潰れるので、見栄えが悪くパック込みの苺製品として商品価値がおちる。また、ＰＥＴ樹脂等パック容器１のシート肉厚が０．２〜０．３ミリメートルと薄く、薄板から樹脂成形の過程で、特に突起の球面先端部が更に薄く成形されるので先端部が潰れ易い。
【発明の開示】
【発明が解決しようとする課題】
【０００５】
本発明は、上記事情に鑑みて、パック容器裏面に形成する突起にリブを設けることによって、苺の重み、あるいはパック容器に対して衝撃が加わっても、突起の先端が潰れることが無く、しかもショックアブソーバとしての機能を有するトレー容器を提供することを目的とする。
【課題を解決するための手段】
【０００６】
上記目的を達成するために、請求項１の発明は、青果等のパック容器（１）において、このパック容器（１）は側壁（２）、底（３）および縁（４）から構成されるとともに、前記底（３）の裏面に複数個の突起（５）が配設されるパック容器であって、前記突起（５）には、前記底（３）の裏面から外側に突出する凸面（Ｓ）が形成され、かつ、この凸面（Ｓ）上に複数のリブ（６）が敷設されることを特徴とする。
【０００７】
また、請求項２の発明は、請求項１の発明の上記特徴に加えて、前記突起（５）に形成される凸面（Ｓ）は、球面状であることを特徴とする。
【０００８】
また、請求項３の発明は、請求項１の発明の上記特徴に加えて、前記突起（５）に形成される凸面（Ｓ）は、楕円球面状であることを特徴とする。
【０００９】
また、請求項４の発明は、請求項１の発明の上記特徴に加えて、前記突起（５）に形成される凸面（Ｓ）はカマボコ形状であり、前記底（３）の裏面周縁に沿って連続して配設されることを特徴とする。
【発明の効果】
【００１０】
パック容器の裏底面に突起を配設することによって、パック容器の底裏面とトレーの底面との間に空隙を確保し、パック容器の底を浮かせながら青果物が潰されて傷むことを防止するという効果を奏するものである。しかも、突起の凸面にリブを設けたので、トレーに対して衝撃が加わる過程で、突起が潰れることが無く、しかもショックアブソーバとしての機能を有するとともに、苺等青果物の損傷を抑える効果がある。
【発明を実施するための最良の形態】
【００１１】
本発明の実施の形態を、添付図面に例示した本発明の実施例に基づいて以下に具体的に説明する。
【実施例１】
【００１２】
先ず、本発明の実施例１ついて、図１〜図３を参照しながら説明する。図１は、青果等を入れるパック容器を底の裏面側から見た斜視図である。図２は、底の裏面に備える突起の拡大図である。図３は、トレーの区画の一つにパック容器を直置きした状態を示す斜視図である。
【００１３】
図１に示すように、パック容器１は、側壁２、底３、縁４から構成され、そして、底３の裏面四隅に突起５を設けている。ここで、突起５は、パック容器１における底３の裏面から外側に突出する凸面Ｓから形成される。他の実施例についても同様である。
【００１４】
図２にパック容器１の底３に備える突起５を拡大して示すように、突起５の主体部は底３の裏面から外側へ球面状に突出する凸面Ｓで、この凸面Ｓ上に複数本のリブが集まる。即ち、縁４から底３へ立ち上がったリブ６ａ，６ｂ，６ｂが凸面Ｓ上を這うように敷設され、これらから更にリブ６ｃ，６ｄ，６ｄが枝分かれするように敷設される。
【００１５】
本実施例のパック容器は以上のように構成され、以下に作用について説明する。
【００１６】
図３に示すように、パック容器１の底３の裏面に形成される球面状の突起５によって、パック容器１の底３は、トレー１０の底１２に接触することなく、浮いた状態を保つことができる。その結果、パック容器１の底３とトレー１０の底１２との間に空隙を確保できるので、青果物が潰されて傷むようなことが無い。
【００１７】
通常のパック容器１は、ＰＥＴ樹脂のシート肉厚が０．２〜０．３ミリメートルと薄く、更に成形の過程で、特に突起の凸面Ｓの部位が薄く成形されるので、突起５の先端部が潰れ易い。また、パック容器１の中に入れた苺等青果の重みによって、突起５の先端部が潰れ易い。しかしながら、本実施例では突起５の凸面Ｓ上を這うように複数のリブ６が敷設されるので、これらのリブによって突起５の強度が補強される。その結果、突起５の先端は、中の苺等青果の重みによって潰れ、あるいはトレーに対して衝撃が加わる過程で潰れることが無く、ショックアブソーバとしての機能を有するとともに、苺が潰れるという損傷を最小限に止める効果がある。即ち、突起５の先端が変形すること無く、リブ６によって突起５の凸面Ｓ形状が維持されるので、パック込みの苺製品として商品価値を保持することができる。
【００１８】
なお、突起５の内面エッジ部は、鋭角あるいは直角ではなく、可能な限り滑らかな曲面が形成されることが望ましい。このようにして、苺等青果がエッジＥ部に接触して傷むのを避けることができる。下記に説明する他の実施例についても同様である。
【００１９】
パック容器１の使用態様は、図３に示すようにパック容器１をトレー１０の底１２に直置きする。そのため、トレー１０にパック受け台を設ける必要がなく、トレーの構造が簡単になり製造費用が安くなる。また、受け台を設けたトレーは、このパック容器専用のトレーとして使用せざるを得ないという不経済な問題も解消される。
【００２０】
本実施例の突起５の凸面Ｓは球面状であるが、ショックアブソーバの機能を有する楕円球面状であっても構わない。
【実施例２】
【００２１】
次に、本発明の他の実施例ついて、図４〜図７を参照しながら説明する。
【００２２】
本実施例の第実施例１との主たる相違点は、パック容器の底裏面に配設された突起の形状あるいは突起の配設個数が異なるところにある。
【００２３】
図４に形状が異なる突起を拡大して示す。突起５の主体部は底３の裏面から外側へ突出する球面状の凸面Ｓから形成され、中央部に凹面Ｃを備える。この凸面Ｓ上に複数本のリブが集まる。即ち、縁４から底３へ立ち上がって凸面Ｓ上をリブ６ｅ，６ｆ，６ｆが這うように敷設される。これらのリブ６ｅ，６ｆ，６ｆの他に、ドーナツ状の凸面Ｓ自体もリブの機能を有するので突起５の強度が増強され、突起５の先端部の潰れを防止する。
【００２４】
図５は、パック容器１の底３裏面における突起の数を増やしたもので、四隅の他に底３の中央に突起５を追加配設したものである。突起５を裏底面の中心部に設けているので、苺等青果がパック容器１の中心部に詰まっていても、その重みで底３が屈曲してトレー１０の底１２にパック容器１の底３が接触する恐れが無く、苺が傷まない。また、図６は、パック容器１の底３裏面に突起５を六箇所、即ち、隅部と隅部との間に二箇所の突起５を追加したものである。同様に、苺がパック容器１の中心部に詰まっていても、間に突起５を付加したので、苺の重みでパック容器１の底３が屈曲してトレー１０の底１２に接触する恐れが無く、苺が傷まない。ここで、図５および図６にも実施例１の図２に示す突起５が配設され、凸面Ｓ上に複数のリブ６によって突起が補強される。
【００２５】
図７は、突起５をパック容器１の底３裏面に連続して設けたもので、突起５の横断面が半円の、所謂カマボコ形状の凸面Ｓからなる突起５が裏底面の周縁を廻る。従って、トレー１０の底１２にパック容器１を直置きした際、パック容器１のすわり、即ち安定感が良好である。また、この連続する突起５を有するパック容器１は、耐衝撃性の点で優れ、苺を沢山入れる場合に効果がある。
【産業上の利用可能性】
【００２６】
なお、本発明のパック容器の使途は、苺、杏、サクランボ、無花果、枇杷等の青果用のパック容器に限らず、卵、菓子等を入れる用途に使っても勿論よい。
【図面の簡単な説明】
【００２７】
【図１】本発明の実施例に係わるパック容器を、底の裏面側から見た斜視図である。
【図２】同上、底の裏面に備える突起形状の拡大図である。
【図３】同上、トレーの区画の一つに、パック容器を載せた状態を示す斜視図である。
【図４】本発明の他の実施例に係わる、底の裏面に備える突起形状の拡大図である。
【図５】同上、底の裏面側から見た斜視図である。
【図６】同上、底の裏面側から見た斜視図である。
【図７】同上、底の裏面側から見た斜視図である。
【図８】従来例を示すもので、パック容器を表面側から見た斜視図である。
【図９】同上、パック容器を底の裏面側から見た斜視図である。
【符号の説明】
【００２８】
Ｓ  凸面
Ｃ  凹面
１  パック容器
２  側壁
３  底
４  縁
５  突起
６  リブ
６ａ，６ｂ，６ｃ，６ｄ，６ｅ，６ｆ  リブ
１０  トレー  
１１  側壁
１２  底
【図１】
2008024350.tif 000003
【図２】
2008024350.tif 000004
【図３】
2008024350.tif 000005
【図４】
2008024350.tif 000006
【図５】
2008024350.tif 000007
【図６】
2008024350.tif 000008
【図７】
2008024350.tif 000009
【図８】
2008024350.tif 000010
【図９】
2008024350.tif 000011